(57)【要約】底部（１０）と、該底部最低地上高（ｇｒｏｕｎｄ  ｃｌｅａｒａｎｃｅ）を画定する車輪（３０、３５）と、少なくとも一つの吸引管（２０）とを備え、前記少なくとも一つの吸引管が床に向かって開口するとともに、底部（１０）の外縁から、掃除機と接続される吸引オリフィス（１５）に向かって収束している掃除機ヘッド（１００）であって、前記吸引ヘッド は、前記底部（１０）の周囲に沿って配置されたシールスカート（４０）を備え、該シールスカート（４０）は、少なくとも一つの吸引管（２０）に対向して位置された少なくとも一つの開口（４５）を備えることを特徴とする掃除機ヘッド（１００）。
2014527889.tif 000002
【特許請求の範囲】
【請求項１】
底部（１０）と、
該底部の最低地上高を画定する車輪（３０、３５）とを備え、
少なくとも一つの吸引管（２０）を備え、前記少なくとも一つの吸引管（２０）が、床に向かって開口すると共に、底部（１０）の外縁から、掃除機と接続される吸引オリフィス（１５）に向かって収束している掃除機ヘッド（１００）であって、前記吸引ヘッドは、前記底部（１０）の周囲に沿って配置されたシールスカート（４０）を備え、
該シールスカート（４０）は、前記少なくとも一つの吸引管（２０）に対向して位置された少なくとも一つの開口（４５）を備えることを特徴とする掃除機ヘッド（１００）。
【請求項２】
前記シールスカート（４０）は、前記吸引ヘッドがカーペットの上を移動されているときに前記吸引ヘッドが前記カーペットの中に沈みこめるように屈曲するための弾性を有していることを特徴とする請求項１に記載の掃除機ヘッド（１００）。
【請求項３】
回転ブラシ（６０）を備えることを特徴とする請求項１または２に記載の掃除機ヘッド（１００）。
【請求項４】
前記底部（１０）は、前記吸引ヘッドが前記カーペットの上を移動されているときに前記シールスカート（４０）を屈曲させるように設計された少なくとも一つの面取り部（１１）を備えることを特徴とする請求項２または３に記載の掃除機ヘッド（１００）。
【請求項５】
前記少なくとも一つの面取り部（１１）は、前記吸引ヘッドの第１の方向への移動により屈曲されたシールスカート（４０）に対して機械的ストッパーとして働くことを特徴とする請求項４に記載の掃除機ヘッド（１００）。
【請求項６】
前記底部（１０）は、前記第１の方向と反対の第２の方向への前記吸引ヘッドの移動により屈曲された前記シールスカート（４０）に対する少なくとも一つの機械的ストッパー（１２）を備えることを特徴とする請求項５に記載の掃除機ヘッド（１００）。
【請求項７】
前記車輪（３０、３５）は、前記カーペットとの接触圧力を定めるように設計された接地面を備え、前記接触圧力は、前記カーペットの中に前記吸引ヘッドが沈み込むのを誘導することを特徴とする請求項２ないし６のいずれかに記載の掃除機ヘッド（１００）。
【請求項８】
前記屈曲されてないシールスカート（４０）の前記少なくとも一つの開口は、第１の空気通路部分を画定し、前記シールスカート（４０）の湾曲は、第２の空気通路部分を確定することを特徴とする請求項２ないし７のいずれかに記載の掃除機ヘッド（１００）。
【請求項９】
前記シールスカート（４０）の少なくとも一部は、前記吸引ヘッドの前方または後方の移動方向に対して平行であり、この平行な部分は、前記吸引ヘッドが前記カーペットの中に沈みこむ時、前記吸引ヘッドの前記底部（１０）の外側に向かって屈曲するように予め形づけられていることを特徴とする請求項２ないし８のいずれかに記載の掃除機ヘッド（１００）。
【請求項１０】
請求項１ないし９のいずれかに記載の少なくとも一つの掃除機ヘッドを備える掃除機。
【発明の詳細な説明】
【技術分野】
【０００１】
本発明は、概して、スカートが装備された掃除機ヘッドに関する。
【背景技術】
【０００２】
特許文献１にて述べられているような掃除機ヘッドが先行技術として知られている。ここに開示された吸引ヘッドは、吸引ヘッド内に空気を流れさせる開口部を備えたシールリップを備えている。しかしながら、このシステムは、特に、床からごみを吸引することにとって有効でないという欠点を有している。なぜならば、空気の速度は、吸引ヘッド内で制御されないからである。さらに、吸引ヘッドは、床に対して正確に位置されない。なぜならば、吸引ヘッドの中央におけるＵ字形の部分は、それが傾くことを妨げず、その結果、シールリップは一定の方法で機能しないからである。
【０００３】
続いて、特許文献２は、床用の布が装備され、床を吸引および洗浄するための機械と共に用いられる掃除機ヘッドを開示している。この吸引ヘッドには、前部にシールリップが装備され、これは、床を拭くための、床に対する吸引ヘッドの密着力を増大させる。しかしながら、この吸引ヘッドの洗浄のための使用は、特定の木の床板（パケット：ｐａｒｑｕｅｔ）や洗えない繊維で作られたカーペットといった、水を許容できない床上での使用を適当でないものとする。そして、水無しでの吸引ヘッドの使用では、効果的な吸引を得られないだろう。最後に、この吸引ヘッドは、空気のみを吸い込む上で適当でない。なぜならば、底部は床に直接接していて、ユーザーの快適性に不都合な雑音だけでなく、移動に対して抵抗を発生する摩擦を引き起こすからである。
【０００４】
最後に、特許文献３は、車輪上に配置され、溝が切られた底部を有する吸引ヘッドを開示する。しかしながら、底部と床との間で、吸引を効果的としないような空気漏れが起こる。なぜならば、溝の中での空気の速度が最適値よりも遅いからである。第２の実施形態では、溝の切られた底部は、床と直接接しているが、これは、雑音を伴う摩擦を引き起こし、吸引ヘッドを動かすために発揮されなければならない労力を増大させる。これらの二つの点は、ユーザーの快適性と、提示の器具の人間工学性（エルゴノミクス：ｅｒｇｏｎｏｍｉｃｓ）にとって不利益なものである。
【先行技術文献】
【特許文献】
【０００５】
【特許文献１】米国特許２００５−００６６４７１  Ａ１
【特許文献２】欧州特許２０１４２１２  Ａ１
【特許文献３】欧州特許１２２２８９２  Ｂ１
【発明の概要】
【０００６】
本発明の目的は、前述の先行技術文献の欠点に応えることであり、特に、第１に、効果的な吸引をする掃除機ヘッドを提案することである。
【０００７】
この目的のために、本発明の第１の態様は、底部と、底部の地面との隙間を確定する車輪とを備え、少なくとも一つの吸引管を備え、少なくとも一つの吸引管が、床に向かって開口すると共に、底部の外縁から、掃除機と接続される吸引オリフィスに向かって収束している掃除機ヘッドであって、前記吸引ヘッドは、底部の周囲に沿って配置されたシールスカートを備え、該シールスカートは、少なくとも一つの吸引管に対向して位置された少なくとも一つの開口を備えることを特徴とする掃除機ヘッドに関する。
【０００８】
本発明のシールスカートは、効果的な吸引を引き起こす。なぜなら、それが、底部の周囲に沿って配置され、空気の漏れを止め、そして、管に対向して位置された開口が、床からごみを効果的に吸い込むために、空気流を前記管の中へ向けさせるからである。
【０００９】
言い換えれば、この吸引ヘッド、ひいては吸引ヘッドの底部は、車輪によって、あらかじめ設定された床からの高さに位置され、適切に位置され且つ前記底部の周囲に沿って配置された前記スカートは、各管に対向して配置された開口での位置を除いて、前記吸引ヘッドにシールを提供し、したがって、ごみを効果的に吸引するために、前記管の中に直接、前記空気流を振り向ける。明らかに、前記最低地上高は、例えば床板（パケット：ｐａｒｑｕｅｔ）やタイルの床などといった滑らかでゆがんでいない床との関係において定義されるものとして理解される。理想的には、前記スカートは、前記底部の全周にわたって配置される。
【００１０】
前記シールスカートは、有利には、前記吸引ヘッドがカーペット上を移動されているときに、前記カーペットの中に前記吸引ヘッドが沈みこめるように、屈曲するための弾性を有している。本発明の吸引ヘッドはまた、カーペットを効果的に清掃することを可能とする。実際、前記スカートは、前記吸引ヘッドが、清掃される前記カーペットの中に沈みこむのを許容する弾性を十分に有している。ユーザーの側のなんらの特別な動作無しに、ユーザーは、滑らかな床を完璧に掃除することができ、そして、前記床の上に敷かれたカーペットまたはラグを掃除し続けることができる。前記スカートは、移動の間屈曲し、快適性を阻害しない。なぜならば、摩擦がなく、前記スカートは前記カーペットの上で滑るからである。
【００１１】
前記吸引ヘッドは、有利には、回転ブラシを備えている。そのような吸引ヘッドは、前記弾性スカートとの組み合わせにおいて、よりいっそう効果的にカーペットを掃除することを可能とするものである。なぜなら、前記カーペットの中への沈み込みは、該吸引ヘッドが沈み込まない場合に比べて、カーペットのよりよいブラッシングを可能とするであろうからである。
【００１２】
前記底部は、有利には、少なくとも一つの面取り部を備え、該面取り部は、前記吸引ヘッドが前記カーペットの上を移動するとき、前記シールスカートが屈曲するのを許すように設計されている。前記底部は面取り部を備え、面取り部は、前記スカートが屈曲するときに、前記スカートの隙間を助長する。
【００１３】
とりわけ、興味深い実施形態において、前記少なくとも一つの面取り部は、前記吸引ヘッドの第１の方向への移動により屈曲されたシールスカートに対して機械的ストッパーとして働く。この装置は、移動の第１の方向への前記スカートの移動を制御することを可能とする。
【００１４】
前記底部は、有利には、第１の方向と反対の第２の方向への移動により屈曲された前記シールスカートに対する少なくとも一つの機械的ストッパーを備える。この装置は、前記第１の方向と反対の第２の方向への移動における、前記スカートの移動を制御することを可能とする。
【００１５】
前記車輪は、有利には、前記カーペットへの接触圧力を定めるように設計された接地面を備え、前記接触圧力は、前記カーペットの中に吸引ヘッドが沈み込むのを誘導する。言い換えれば、前記車輪は、前記カーペットが変形せずに耐えうる接触圧力よりも大きな接触圧力を誘導するように設計されている。限定されない方法において、前記車輪は、前記床との接触面を制限するために、たる形に構成されることが可能である。それは、前記カーペットとの小さな接触面を引き起こし、前記吸引ヘッドを前記カーペットの中に沈みこませるであろう。
【００１６】
有利には、屈曲されていない前記シールスカートの、前記少なくとも一つの開口は、第１の空気通路部分を画定する。そして、前記シールスカートの湾曲は、第２の空気通路部分を画定する。したがって、本発明のスカートは、前記掃除機の二つの操作上の特徴点を定める。すなわち、前記スカートが屈曲されていないときに、前記スカートは、滑らかな床の上での第１の通路部分を課し、屈曲されているときにカーペット上の第２の通路部分を課す。
【００１７】
有利には、前記シールスカートの少なくとも一部は、前記吸引ヘッドの前方または後方の移動方向に対して平行である。そしてこの平行な部分は、前記吸引ヘッドがカーペットの中に沈みこむ時、前記吸引ヘッドの前記底部の外側に向かって屈曲するように予め形付けられている。本発明のスカートは、前記吸引ヘッドが容易にカーペットの中に沈みこむよう、優先される方向へ屈曲すべく予め形付けられている。
【００１８】
本発明の第２の態様は、本発明の第１の態様による少なくとも一つの吸引ヘッドを備える掃除機である。
【００１９】
本発明の他の特徴や利点は、以下に述べる本発明の実施形態の詳細な説明を読んだとき、より明らかになるであろう。そして、実施形態は、いかなる方法によっても限定的でない例として与えられ、添付図面によって図示される。
【図面の簡単な説明】
【００２０】
【図１】本発明の吸引ヘッドを示す下方斜視図である。
【図２】図１の吸引ヘッドの側面図である。
【図３】図１の吸引ヘッドの断面図である。
【発明を実施するための形態】
【００２１】
図１は、本発明にかかる掃除機ヘッド１００を示している。掃除機ヘッド１００は、床に向かって開口する複数の吸引管（吸引ダクト）２０を有する底部１０を備えている。吸引ヘッドはまた、車輪３０，３５を備え、車輪３０，３５の接地面形状は、たる形であり、吸引ヘッドが滑らかな床の上で静止しているときの底部１０の最低地上高（底部１０の床との隙間、グラウンドクリアランス；ｇｒｏｕｎｄ  ｃｌｅａｒａｎｃｅ）を画定する。吸引ヘッドは、三角形の概略形状を有し、管２０の少なくともひとつは、吸引ヘッドの先端で開口している。掃除機のモーターによって吸引された空気が底部の管を優先的に通るように、各吸引管２０は、吸引オリフィス１５（スロットの形態であり得る）を底部１０の外部に接続する。効果的な吸引を実現するために、本発明は特に、底部の周りにシールリップまたはシールスカート４０を配置することを提案する。このシールスカート４０は、滑らかな床と底部１０との間の漏れを防止し、効果的な吸引をもたらすため、吸引用スカート４０は、底部１０の下から吸引された空気が管２０のみに直接入るように、管２０に対向した位置で開口されている。吸引された空気の全てが管を通過するので、管２０内の空気速度は最大化され、これにより床からのごみの効果的な吸引が達成される。
【００２２】
図２は、滑らかな床上での吸引ヘッド１００の側面図である。車輪３０、３５（後者は吸引用スカートによって隠されている）は、床に対して、ある程度の高さに、吸引ヘッド１００を位置づけている。シールスカート４０は、床と底部１０との間で空気が漏れるのを防ぐように、床面すれすれに進む。そして、管に直接対向して位置されたシールスカート４０の開口部４５は、床の上にあるごみを取り除くべく、シールスカート４０の内方へ空気を通過させる。
【００２３】
図３は、カーペット２００上で使用される図１の吸引ヘッドを３−３線で切断した断面図である。吸引ヘッド１００は、ユーザーによって前方に押し進められる。車輪３０、３５のたる形形状により、高い接触圧力がカーペット２００に作用される。これは、吸引ヘッドがカーペット２００内に沈み込むのを許容し、十分な弾性を有するシールスカート４０は屈曲する。底部の前部の面取り部１１は、シールスカート４０が曲がるのを許容するとともに、同時に、シールスカート４０のためのストッパーとして機能する。したがって、スカートの位置は、正確であり、移動の妨げとなる抵抗を何ら発生させることなく、カーペットの上をすべることが可能となる。底部の後部では、シールスカート４０がまた曲がっており、スカート４０の変形を制限するための機械的ストッパー１２が形成されている。図示された変形例によれば、面取り部１１が底部の後部に同様に存在し、機械的ストッパー１２が吸引ヘッドの前部に位置されている。回転ブラシ（６０）が、吸引スロット１５の中に配置され、カーペットは効果的にブラッシングされる。なぜなら、シールスカートの弾性によって、吸引ヘッドはカーペットの中に十分に沈み込むからである。
【００２４】
当業者にとって明らかな、さまざまな変更および／または改良が、特許請求の範囲によって定義される本発明の範囲を超えることなく、本明細書に述べられた本発明の実施形態に対してなされ得ることは理解されるべきである。
【図１】
2014527889.tif 000003
【図２】
2014527889.tif 000004
【図３】
2014527889.tif 000005
【国際調査報告】
2014527889.tif 000006
2014527889.tif 000007
2014527889.tif 000008
2014527889.tif 000009
2014527889.tif 000010
2014527889.tif 000011